(57)【特許請求の範囲】
【請求項１】
建物躯体への固定を行う固定構造体と、その固定構造体の外側部分に固定されて外形を形成する外形材とを備えて形成された外壁突出部材において、
前記外形材は、外形材本体と、その外形材本体とは別体であって外形材本体の建物躯体側に位置して建物躯体へ固定される見切り体とから構成され、
前記見切り体の建物躯体側の端部には、建物躯体の外側に固定される外壁材の下側に位置させるための鍔部が設けられるとともに、
この見切り体は、外形材本体の建物躯体側の端部を呑み込んで固定する呑み込み部を備えてなり、この呑み込み部の外側に、外壁突出部材の横に外壁材が位置して建物躯体に固定された場合の外壁材の垂直な端面に当接可能な外垂直面と、外壁突出部材の上方に外壁材が位置して建物躯体に固定された場合の外壁材の水平な下端面に当接可能な上水平面と、外壁突出部材の下方に外壁材が位置して建物躯体に固定された場合の外壁材の水平な上端面に当接可能な下水平面とを備えていることを特徴とする外壁突出部材の固定構造。
【発明の詳細な説明】
【０００１】
【発明が属する技術分野】
この発明は外壁突出部材の固定構造、更に詳しくは、庇、バルコニー、フラワーボックスなどの外壁突出部材の建物躯体への固定構造に関する。
【０００２】
【先行技術】
建物躯体の外表面から突出するように建物躯体へ固定される庇、バルコニー、フラワーボックスなどの外壁突出部材は、通常、建物躯体への固定を行う固定構造体と、その固定構造体の外側部分に固定されて外壁突出部材の外形を形成する外形材とを備えて形成されている。したがって、外壁突出部材は、固定構造体が建物躯体へ固定され、その固定構造体と建物躯体とへ外形材が固定されることによって建物躯体に固定される。
【０００３】
一方、外壁突出部材が建物躯体へ固定された後には、その外壁突出部材の外形材に対応する部分を切り欠くようにして外壁材（例えばモルタル材、サイディング材など）が建物躯体へ固定されていた。そして、外壁材と外壁突出部材の外形材との隙間には、コーキング材などを用いて防水処理を行われていた。
ところで、外壁突出部材を固定構造体と外形材とに分けているのは、外壁突出部材のデザイン面での変更を行いたい場合に外形材のみを変更すればよい、ということが、その理由のひとつである。
【０００４】
【発明が解決しようとする課題】
しかし、上記した技術では、建物躯体と外壁突出部材の外形材との隙間の防水処理の施工に手間がかかっていた。
また、外形材のデザインが複雑な場合には、外形材と外壁材との境目のラインが複雑化するので、そのラインに合わせた外壁材を準備するのにも手間がかかっていた。
【０００５】
更に、施工順序が入れ替えられず外壁材の建物躯体への固定を一番最後に行わなければならないという問題点もあった。
本発明が解決すべき課題は、建物躯体と外壁突出部材の外形材との隙間の防水処理を簡単に行えるとともに、施工順序を入れ替えることもできる外壁突出部材の固定構造を提供することにある。
【０００６】
すなわち、請求項１記載の発明の目的は、建物躯体と外壁突出部材の外形材との隙間の防水処理を簡単に行えるとともに、施工順序を入れ替えることができ、更に外壁突出部材の外形材が複雑な形状をしていても、建物躯体と外壁突出部材の外形材との隙間の防水処理を簡単に行える外壁突出部材の固定構造を提供することである。
【０００７】
なお、上記の課題を解決する技術を、予め日本特許情報機構（ＪＡＰＩＯ）の先行技術調査（パトリス）の利用により、以下の検索式で昭和５５年以後の特許出願、実用新案登録出願を調査し、その結果、特許出願１２件、実用新案登録出願３件を抽出した。
検索式 ： 庇Ｗ３外壁＋Ｅ０４Ｆ１０／０８
しかし、上記課題を解決するための手段は、発見できなかった。
【０００８】
【課題を解決するための手段】
本発明は、上記した目的を達成するためのものである。
請求項１記載の外壁突出部材の固定構造は、建物躯体(10)への固定を行う固定構造体(21)と、その固定構造体(21)の外側部分に固定されて外形を形成する外形材(22)とを備えて形成された外壁突出部材(20)において、前記外形材(22)は、外形材本体(23)と、その外形材本体(23)とは別体であって外形材本体(23)の建物躯体(10)側に位置して建物躯体(10)へ固定される見切り体(24)とから構成され、前記見切り体(24)の建物躯体(10)側の端部には、建物躯体(10)の外側に固定される外壁材（例えばサイディング材12）の下側に位置させるための鍔部(24E) が設けられるとともに、この見切り体(24)は、外形材本体(23)の建物躯体(10)側の端部を呑み込んで固定する呑み込み部(24A) を備えてなり、この呑み込み部(24A) の外側に、外壁突出部材(20)の横に外壁材(12)が位置して建物躯体(10)に固定された場合の外壁材(12)の垂直な端面に当接可能な外垂直面(24C) と、外壁突出部材(20)の上方に外壁材(12)が位置して建物躯体(10)に固定された場合の外壁材(12)の水平な下端面に当接可能な上水平面(24B) と、外壁突出部材(20)の下方に外壁材(12)が位置して建物躯体(12)に固定された場合の外壁材(12)の水平な上端面に当接可能な下水平面(24D) とを備えていることを特徴とする。
【０００９】
ここで、「外壁突出部材」とは、建物躯体の外表面から突出するように建物躯体へ固定される庇、バルコニー、フラワーボックスなどをいう。また、「外壁材」とは、実施の形態に示すサイディング材の他、湿式の壁、例えばモルタルなどで形成する壁材をも含む概念である。
請求項１記載の外壁突出部材の固定構造は、以下のような作用をなす。
【００１０】
まず、外壁突出部材(20)の固定構造体(21)を建物躯体(10)へ固定し、続いて外形材(22)を建物躯体(10)へ固定させる。
【００１１】
【００１２】
このとき、上述した外壁突出部材(20)の固定構造体(21)の建物躯体(10)への固定とは別に、鍔部(24E)を備える見切り体(24)の建物躯体(10)へ固定を行うことができる。
そして、見切り体(24)に設けられた鍔部(24E) が、建物躯体(10)への直接の水の浸入を防ぐことができるので、建物躯体(10)と外壁突出部材(20)の外形材(22)との隙間の防水処理を簡単に行える。
また、かかる別々の固定をそれぞれ行った後、外形材本体(23)の建物躯体(10)側の端部を見切り体(24)の呑み込み部(24A) を用いて固定することによって、外壁突出部材(20)は建物躯体(10)へ固定されることになる。
【００１３】
【００１４】
更に、見切り体(24)における呑み込み部(24A)の外側は、外垂直面(24C)、上水平面(24B)および下水平面(24D)を備えた単純な形状をなしているので、見切り体(24)に隣接して建物躯体(10)へ固定される外壁材(12)にあっては、それら外垂直面(24C)、上水平面(24B)および下水平面(24D) に当接するような切り欠き部を備えていれば、外壁突出部材(10)の外形材が複雑な形状をしていても（すなわち、見切り体(24)における呑み込み部(24A) が複雑な形状をしていても）、簡単に建物躯体(10)へ固定できる。
【００１５】
【発明の実施の形態】
以下、本発明を実施の形態及び図面に基づいて、更に詳しく説明する。
ここで使用する図面は、図１乃至図３である。図１は、本発明の第一の実施の形態を示す水平断面図およびその部分拡大斜視図である。図２は、本発明の第二の実施の形態を示す水平断面図およびその部分拡大斜視図である。図３は、本発明の第一の実施の形態を下から見た場合の部分拡大斜視図である。
【００１６】
まず、第一の実施の形態の構成について、図１および図３を参照させながら説明する。この第一の実施の形態は、外壁突出部材として玄関庇２０を採用したものである。
この玄関庇２０は、図１中の水平断面図に示すように、建物躯体１０への固定を行う固定構造体２１と、その固定構造体２１の外側部分に固定されて玄関庇２０の外形を形成する外形材２２と、図３に想像線にて示す野縁２５とを備えて形成されている。さらに、その外形材２２は、図１中の斜視図に示すように、外形材２２を外形材本体２３と、その外形材本体２３とは別体であって、外形材本体２３の建物躯体１０側に位置して建物躯体１０へ固定される見切り体２４とから形成されている。
この見切り体２４は、外形材本体２３の建物躯体１０側の端部を呑み込んで固定する呑み込み部２４Ａと、建物躯体１０の外側に胴縁１１を介して固定されるサイディング材１２の下側に位置させるための鍔部２４Ｅとを備えている。呑み込み部２４Ａの鍔部２４Ｅからの高さは、胴縁１１とサイディング材２０とを合わせた高さにほぼ一致する寸法としている。
【００１７】
見切り体２４の呑み込み部２４Ａの外側は、垂直断面形状がコ字形をなすような外表面を形成している。すなわち、玄関庇２０の横にサイディング材１２が位置して建物躯体１０に固定された場合のサイディング材１２の垂直な端面に当接可能な外垂直面２４Ｃと、玄関庇２０の上方にサイディング材１２が位置して建物躯体１０に固定された場合のサイディング材１２の水平な下端面に当接可能な上水平面２４Ｂと、玄関庇２０の下方にサイディング材１２が位置して建物躯体１０に固定された場合のサイディング材１２の水平な上端面に当接可能な下水平面２４Ｄとを備える。
【００１８】
次に、上記した実施の形態の作用および効果について説明する。
まず、玄関庇２０の固定構造体２１を建物躯体１０へ固定し、玄関庇２０の固定構造体２１の建物躯体１０への固定とは別に、鍔部２４Ｅを備える見切り体２４の建物躯体１０へ固定を行うことができる。
例えば、玄関庇２０の完成前、すなわち外形材本体２３の固定前にサイディング材１２の固定を行うことができる。このとき、鍔部２４Ｅは、胴縁１１に固定されるサイディング材１２の下側に位置させる。この鍔部２４Ｅが建物躯体１０への直接の水の浸入を防ぐので、建物躯体１０と玄関庇２０の外形材２２との隙間の防水処理を簡単に行える。
なお、湿式の壁を形成する際には、鍔部２４Ｅはその壁材の見切りになる。
【００１９】
かかる別々の固定をそれぞれ行った後、外形材本体２３の建物躯体１０側の端部を見切り体２４の呑み込み部２４Ａへ呑み込ませて固定することによって、玄関庇２０の外形材本体２３は建物躯体１０へ固定される。
図示は省略するものの、野縁２５を用いてその下側に軒天板を固定し、玄関庇２０が完成する。見切り体２４における呑み込み部２４Ａの外側は、外垂直面２４Ｃ、上水平面２４Ｂおよび下水平面２４Ｄを備えた断面コ字形の単純な形状をなしているので、見切り体２４に隣接して建物躯体１０へ固定されるサイディング材１２にあっては、それら外垂直面２４Ｃ、上水平面２４Ｂおよび下水平面２４Ｄに当接するようなコ字形の切り欠き部を備えていれば、玄関庇２０の外形材２２が複雑な形状をしていても、簡単に建物躯体１０へ固定できる。
【００２０】
サイディング材１２と呑み込み部２４Ａの外側の外垂直面２４Ｃ、上水平面２４Ｂおよび下水平面２４Ｄとの隙間は、コーキング材によって埋め、防水性を高めるとともに外観を整える。
次に、図２に基づいて、第二の実施の形態について、第一の実施の形態との違いにおいて説明する。
【００２１】
この実施の形態は、建物躯体１０の入り隅部１０Ａに外壁突出部材２０が固定される場合を示したものである。
見切り材２４における呑み込み部２４Ａの形状を外形材本体２３に合わせている。しかし、見切り体２４における呑み込み部２４Ａの外側は、外垂直面２４Ｃ、上水平面２４Ｂおよび下水平面２４Ｄを備え、大きさも同じである断面コ字形をなしている。
【００２２】
これによれば、見切り体２４に隣接して建物躯体１０へ固定されるサイディング材１２に備えるべきコ字形の切り欠き部を、第一の実施の形態と同じものとすることができる。
【００２３】
【発明の効果】
請求項１記載の発明によれば、建物躯体と外壁突出部材の外形材との隙間の防水処理を簡単に行える外壁突出部材の固定構造を提供することができた。
また、この請求項１記載の発明によれば、施工順序を入れ替えることもできる外壁突出部材の固定構造を提供することができた。
【００２４】
更に、この請求項１記載の発明によれば、外壁突出部材の外形材が複雑な形状をしていても、建物躯体と外壁突出部材の外形材との隙間の防水処理を簡単に行える外壁突出部材の固定構造を提供することができた。
【図面の簡単な説明】
【図１】  本発明の第一の実施の形態を示す水平断面図およびその部分拡大斜視図である。
【図２】  本発明の第二の実施の形態を示す水平断面図およびその部分拡大斜視図である。
【図３】  本発明の第一の実施の形態を下から見た場合の部分拡大斜視図である。
【符号の説明】
１０…建物躯体、１０Ａ…入り隅部、１１…胴縁、１２…サイディング材、２０…外壁突出部材、２１…固定構造体、２２…外形材、２３…外形材本体、２４…見切り体、２４Ａ…呑み込み部、２４Ｂ…上水平面、２４Ｃ…外垂直面、２４Ｄ…下水平面、２４Ｅ…鍔部、２５…野縁。
【図１】
0003820529.tif 000002
【図２】
0003820529.tif 000003
【図３】
0003820529.tif 000004